(57)【要約】【課題】電子機器などの配線などの印刷形成に際して、硬い導電性インキなどを用いても、導通不足や断線などが発生しないグラビア製版ロールを提供すること。【解決手段】版母材と、該版母材の表面に設けられかつ表面に多数のグラビアセルが形成された銅めっき層と、該銅めっき層の表面を被覆するクロムめっき層とからなり、上記各グラビアセルの少なくとも一部が、隣接しているセルと連通する溝を有することを特徴とするグラビア製版ロール。【選択図】図１
2010105245.tif 000002
【特許請求の範囲】
【請求項１】
版母材と、該版母材の表面に設けられかつ表面に多数のグラビアセルが形成された銅めっき層と、該銅めっき層の表面を被覆するクロムめっき層とからなり、上記各グラビアセルの少なくとも一部が、隣接しているセルと連通する溝を有することを特徴とするグラビア製版ロール。
【請求項２】
前記溝の幅が、セルの１個の隔壁の長さの１０〜３０％である請求項１に記載のグラビア製版ロール。
【請求項３】
前記隔壁が、卍形状または逆卍形状に形成されている請求項１に記載のグラビア製版ロール。
【請求項４】
請求項１〜３の何れか１項に記載のグラビア製版ロールと、粘度が、ザンカップ法におけるメッシュ３で１８秒〜５０秒であるインキを用いて、基板にパターンを印刷形成することを特徴とする電気・電子部品の製造方法。
【発明の詳細な説明】
【技術分野】
【０００１】
本発明は、グラビア製版ロールに関し、さらに詳しくは導電性インキなどを各種基材に印刷した場合、導電不良や断線がなく、導電性に優れた回路、電極、画素などの印刷形成が可能なグラビア製版ロールに関する。
【背景技術】
【０００２】
グラビア印刷においては、版母材に対して、製版情報に応じた微小な凹部（グラビアセル）を形成して版面を作成し、当該グラビアセルにインキを充填し、プラスチックフィルムなどの被印刷物に転写するものである。一般的なグラビア製版ロールにおいては、アルミニウムや鉄などの金属製中空ロール（版母材）の表面に、版面形成用銅めっき層（版材）を設け、該銅めっき層にエッチング法や電子彫刻法によって、製版情報に応じて多数のグラビアセルを形成し、次いでグラビア製版ロールの耐刷力を向上させるためのクロムめっき層を形成している。
【０００３】
以上のようなグラビア製版ロールは、紙、プラスチックフィルムなどの多種の被印刷材の印刷に使用されている（特許文献１）が、近年は、絵柄の印刷に加えて各種電子機器の配線、電極、画素などの印刷形成に使用されるようになっている。
【特許文献１】特開２００４−１６７７２号公報
【発明の開示】
【発明が解決しようとする課題】
【０００４】
従来のグラビア製版ロールの版面は、図６に示すように、画線部に、隔壁１によって区画された多数のグラビアセル２が形成されており、このグラビアセル２には、インキ３が充填され、該インキ３がプラスチックフィルムなどの印刷基材に転写され、図７に示すようなインキ画像３が形成されている。これらの個々の転写インキ層３（ドット）は微小であるので、通常の画像の場合には個々の転写インキ層は視認できず、形成される画像においては問題はない。
【０００５】
しかしながら、印刷物が電子回路などの場合には、使用する導電性インキが高粘度（硬い）の場合には、従来のグラビアロールを用いて細線を印刷形成すると、各ドットが隣接しているドットと不連続となる場合があり、このような場合には、製品に不良品が発生する。これに対して低粘度で流動性の高いインキを使用すれば、各ドットが変形し、各ドットが連続するが、この場合には極細線を隣接して印刷する場合には、極細線同士のショートが発生する畏れがある。
【０００６】
従って本発明の目的は、電子機器などの配線などの印刷形成に際して、硬い導電性インキなどを用いても、導通不足や断線などが発生しないグラビア製版ロールを提供することである。
【課題を解決するための手段】
【０００７】
上記目的は以下の本発明によって達成される。すなわち、本発明は、版母材と、該版母材の表面に設けられかつ表面に多数のグラビアセルが形成された銅めっき層と、該銅めっき層の表面を被覆するクロムめっき層とからなり、上記各グラビアセルの少なくとも一部が、隣接しているセルと連通する溝を有することを特徴とするグラビア製版ロールを提供する。
ここで前記溝の幅が、セルの１個の隔壁の長さの１０〜３０％であること；および前記隔壁が、卍形状または逆卍形状に形成されていることが好ましい。
【０００８】
また、本発明は、前記本発明のグラビア製版ロールと、粘度が、ザンカップ法におけるメッシュ３で１８秒〜５０秒であるインキを用いて、基板にパターンを印刷形成することを特徴とする電気・電子部品の製造方法を提供する。
【発明の効果】
【０００９】
本発明によれば、電子機器などの配線などの印刷形成に際して、硬い導電性インキを用いても、導通不足や断線などが発生しないグラビア製版ロールを提供することができる。
【発明を実施するための最良の形態】
【００１０】
次に図面を参照して本発明の好適な実施形態を説明する。図１は、本発明のグラビア製版ロールの画線部の版面の一部を図解的に示す図である。図示のように本発明のグラビア製版ロールの画線部の版面には、隔壁１によって区画された多数のグラビアセル２が形成されており、これらの個々のセル２１（点線表示）が、隣接するセル２２、２３、２４、２５と溝４によって連通しており、図２に示すように各セルにインキ３を充填し、該インキ３をプラスチック基材などに転写すると、転写されたインキ層３は、図２に示すように、全て連続しており、インキ層が導電性である場合、導通不足や断線を生じることはない。
【００１１】
図３は、本発明の他の実施形態のグラビア製版ロールの版面の一部を示す図であり、セル２（点線表示）を形成する隔壁１が卍形状に形成されている。この場合にもセル２１は隣接するセル２２、２３、２４、２５と溝４によって連通している。この実施態様においても前記と同様に、この製版ロールで導電性インキを印刷すると、前記と同様にインキ層が導電性である場合、印刷回路などにおいて導通不足や断線を生じることはない。なお、図３に示すように溝４に向かい合う隔壁１の端部を鈎型に形成し、隔壁を卍形状にすることにより、インキの保持性やインキの過度の流動を抑制することができる。また、図示の卍形状は、図５に示すように逆卍形状であってもよい。
【００１２】
以上の如き本発明のグラビア製版ロールにおけるセルの深さ（隔壁の高さ）は２〜１５μｍ程度であり、また、セルのピッチは１インチ当たり１００〜２００線の範囲が好ましい。また、前記溝４の幅は、セル２の隔壁１の長さの１０〜３０％であることが好ましく、幅が狭過ぎると本発明の効果が不足する場合があり、一方、幅が大き過ぎるとインキの保持性が低下する。溝４の深さも、セル２の深さと同じであることが好ましいが、溝４はセル２よりも幾分浅くてもよい。
【００１３】
以上の如き本発明のグラビア製版ロールの製造に使用する版母材は、従来公知のアルミニウムや鉄などの金属製中空ロール、または炭素繊維強化プラスチックなどのプラスチック製中空ロール（これらの中空ロールの外径は１０〜３０ｃｍ、長さは２０〜２００ｃｍである）でよい。これらの版母材の表面には銅めっき処理によって銅めっき層（厚みは０．１〜０．２μｍ）を形成し、該版胴面に感光液を塗布して所望のセルパターンを焼きつけ現像し、エッチングして所望のセルパターンを形成するエッチング法や、デジタル信号によりダイヤモンド彫刻針を機械的に作動させて、セルパターンを形成する電子彫刻法により所望の形状のセルパターンを形成し、全面に常法に従ってクロムめっきを施すことによって本発明のグラビア製版ロールが得られる。
【００１４】
図３に示すセル２の隔壁１の間隔等は、図３においてａが１０〜３０μｍ、ｂが１００〜２００μｍ、ｃが２０〜６０μｍ、ｄが１００〜２００μｍ程度が望ましい。なお、実施例では、ａが１７μｍ、ｂが１４１μｍ、ｃが４６μｍ、ｄが１６６μｍのグラビア製版ロールを作成した。
【００１５】
以上の如き、本発明のグラビア製版ロールは、パソコン、携帯電話、液晶テレビなどの液晶ディスプレイ、ＥＬディスプレイ、プラズマディスプレイ、カーナビゲィションなどの各種電気・電子機器などの回路、電極、画素などの形成に有用であり、また、使用するインキとしては、粘度が、ザンカップ法におけるメッシュ３で１８秒〜５０秒である比較的硬い導電性インキや、有機発光材料を含む粘度が上記と同様なインキが好ましく、各種電気・電気機器の配線、回路、電極、画素などの形成に有用である。また、被印刷材としては、上記各種電気・電気機器に使用されるエポキシ樹脂、ポリエステル樹脂などのエンジニアリング樹脂からなるフィルムやシートの基板が好ましい。
【産業上の利用可能性】
【００１６】
本発明によれば、電子機器などの配線などの印刷形成に際して、硬い導電性インキを用いても、導通不足や断線などが発生しないグラビア製版ロールを提供することができる。
【図面の簡単な説明】
【００１７】
【図１】本発明のグラビア製版ロールの版面の１部を説明する図。
【図２】図１のグラビア製版ロールによってインキが転写された状態を示す図。
【図３】他の実施例のグラビア製版ロールの版面の１部を説明する図。
【図４】図３のグラビア製版ロールによってインキが転写された状態を示す図。
【図５】他の実施例のグラビア製版ロールの版面の１部を説明する図。
【図６】従来のグラビア製版ロールの版面の１部を説明する図。
【図７】図６のグラビア製版ロールによってインキが転写された状態を示す図。
【符号の説明】
【００１８】
１：隔壁
２：セル
３：インキ
４：溝
【図１】
2010105245.tif 000003
【図２】
2010105245.tif 000004
【図３】
2010105245.tif 000005
【図４】
2010105245.tif 000006
【図５】
2010105245.tif 000007
【図６】
2010105245.tif 000008
【図７】
2010105245.tif 000009